(57)【特許請求の範囲】
【請求項１】
対向する長尺な主材と該主材間に一定間隔で架設した複数の横材とで略梯子状の屋根骨組を構成し、前記主材と横材とに一定間隔で膜パネルの定着金物を取り付け、前記屋根骨組と略同幅で長尺に形成した膜パネルを前記定着金物に固定して屋根骨組に張設することを特徴とする膜屋根の骨組膜構造。
【請求項２】
横材に取り付ける定着金物は、複数の横材に対して１つおきの間隔で配置され、定着金物が配置されない横材には膜パネルを突き上げるものとして横材と同長のアーチ状の支持材を突設する請求項１記載の膜屋根の骨組膜構造。
【請求項３】
対向する長尺な主材と該主材間に一定間隔で架設した複数の横材とで略梯子状に形成し、前記主材と横材とに定着金物を取り付けた屋根骨組を使用し、この屋根骨組上で、該屋根骨組の幅と略同幅で１ユニットが長尺な膜パネルを屋根骨組の幅方向と長さ方向に引っ張り、幅方向に所定の張力を導入しながら前記定着金物に固定し、かかる骨組膜のユニットを適宜数連続させて屋根骨組に張設することを特徴とする膜パネルの施工法。
【発明の詳細な説明】
【０００１】
【発明の属する技術分野】
本発明は、ドームなどの屋根を構成する膜屋根の骨組膜構造および膜パネルの施工法に関するものである。
【０００２】
【従来の技術】
例えば野球場などの競技施設のドーム形状の屋根には、ドーム状に構築しやすく、また、開閉も容易に行えるなどの点から膜部材を使用する膜屋根が採用されることがあるが、かかる膜屋根は例えば、図５、図６、図７に示すように屋根骨組である構造体を構成する鉄骨や集成材などによる骨組21に複数に分割されユニット化した所定サイズの膜パネル22を１枚毎張っている。
【０００３】
膜パネル22を屋根として機能させるためには、これをピンと張って張力を維持する必要があるが、そのための構造として図５の場合は膜パネル22に押さえケーブルを取り付け、これを引き込むことで張力を与えるようにしており、図６の場合はアーチ状の引き上げ部材を膜パネル22のほぼ中央位置で下方に配設して、このアーチ状の引き上げ部材で膜パネル22を突き上げるようにしており、また、図７ではポール状の部材を膜パネル22の中心下部に配設して、このポール状の部材で突き上げて張力を付与している。
【０００４】
このようにして骨組21に膜パネル22を張設した骨組膜23を複数連接して膜屋根を構成するが、各膜パネル22に張力を付与するには、図５〜図７いずれの場合もさらに各膜パネル22の全周縁を骨組21に引っ張って固定する必要がある。
【０００５】
【発明が解決しようとする課題】
膜パネル22の全周縁を骨組21に固定するには、膜パネル22の定着金物（図示は省略してある）が必要であり、該定着金物は膜パネル22の全周囲、すなわち各骨組膜23毎に全周囲の骨組21に定着金物が配置されることになり、定着金物は多数を必要とし、コスト高となるだけでなく、膜パネル22の骨組21への定着作業も多数を要して施工性がよくなかった。
【０００６】
また、隣接する骨組膜23の角部では、隣接する骨組膜のそれぞれの骨組21に取り付けてある定着金物同士が四方から接することになり、この箇所に隙間が生じて十分な止水を図ることが困難であった。
【０００７】
本発明の目的は前記従来例の不都合を解消し、膜パネルの周囲を骨組に固定すると同時に膜パネルに張力を導入するための定着金物の数を削減でき、コストダウンを図ることができるとともに作業の軽減化も図れて施工性が向上でき、さらに、隣接する骨組膜間の止水性も向上できる膜屋根の骨組膜構造および膜パネルの施工法を提供することにある。
【０００８】
【課題を解決するための手段】
本発明は、前記目的を達成するため、第１に、骨組膜構造として、対向する長尺な主材と該主材間に一定間隔で架設した複数の横材とで略梯子状の屋根骨組を構成し、前記主材と横材とに一定間隔で膜パネルの定着金物を取り付け、前記屋根骨組と略同幅で長尺に形成した膜パネルを前記定着金物に固定して屋根骨組に張設することを要旨とするものである。
【０００９】
第２に、横材に取り付ける定着金物は、複数の横材に対して１つおきの間隔で配置され、定着金物が配置されない横材には膜パネルを突き上げるものとして横材と同長のアーチ状の支持材を突設することを要旨とするものである。
【００１０】
膜パネルの施工法として、対向する長尺な主材と該主材間に一定間隔で架設した複数の横材とで略梯子状に形成し、前記主材と横材とに定着金物を取り付けた屋根骨組を使用し、この屋根骨組上で、該屋根骨組の幅と略同幅で１ユニットが長尺な膜パネルを屋根骨組の幅方向と長さ方向に引っ張り、幅方向に所定の張力を導入しながら前記定着金物に固定し、かかる骨組膜のユニットを適宜数連続させて屋根骨組に張設することを要旨とするものである。
【００１１】
請求項１記載の本発明によれば、略梯子状の屋根骨組の上に、その長さ方向に長尺な膜パネルを定着金物で固定するから、骨組膜の１単位が長尺化し、略梯子状の屋根骨組の長さ方向の主材に取り付けた定着金物で膜パネルに所定の張力を導入するから、横材に定着するための定着金物は取り付け個数を従来に比較して削減でき、また、簡単な構造のものとすることができ、その結果、コストダウンを図れるとともに施工性も向上する。
【００１２】
また、屋根骨組が略梯子状の長尺なものとなるから、隣接する屋根骨組と角部での接合がなくなり、止水性が向上する。
【００１３】
請求項２記載の本発明によれば、前記作用に加えて、長尺な膜パネルの横材への固定は、１つおきの横材に定着金物が取り付けてあるから、固定箇所が少なくてすむ。そして、定着金物が取り付けてない横材にはアーチ状の支持材が突設してあるから、これにより膜パネルは上方へ突き上げられる。
【００１４】
請求項３記載の本発明によれば、梯子状の屋根骨組上に、その長さ方向に長尺な膜パネルを引っ張りながら布設し、短手方向と長手方向とを屋根骨組に適宜間隔で取り付けてある定着金物に固定すれば、骨組膜の全体形状を長尺に形成でき、全体が短尺な従来の骨組膜に比較して定着金物の数が削減できるから定着の作業も削減できて施工性が向上する。
【００１５】
また、膜パネルへの張力導入も該膜パネルの長辺方向に引っ張りながら長辺部分だけを屋根骨組の長さ方向の主材に取り付けてある定着金物に固定すればよいから、容易である。
【００１６】
【発明の実施の形態】
以下、図面について本発明の実施の形態を詳細に説明する。図１は本発明の膜屋根の骨組膜構造の実施の形態を示す斜視図で、骨組１に膜パネル２を張設して骨組膜３とする構成は従来と同様であるが、本発明では骨組１の構成を図１に示すように対向する長尺な主材４と該主材４間に一定間隔で架設した複数の横材５とで略梯子状の長尺に形成した。この場合、主材４は例えばドーム状の屋根の傾斜に合致するようにゆるやかなアーチ状に形成する。
【００１７】
主材４に図３に示す後述の定着金物７を一定間隔で複数個取り付け、横材５には１つおきの間隔で図４に示す定着金物８を取り付ける。そして、横材５の定着金物８が取り付けられていないものには、膜パネル２を突き上げるものとして横材５と同長のアーチ状の支持材６を突設する。
【００１８】
主材４に取り付ける定着金物７の構造を図３について説明する。例えばスチールパイプで構成する主材４の上部に該主材４の長さ方向に細長板状の支持材９を溶接などにより立設し、この支持材９に複数の張力導入装置10を適宜間隔で取り付ける。
【００１９】
この張力導入装置10は支持材９の長さ方向と直交する方向に該支持材９を貫通させて引き寄せボルト11を挿着し、この引き寄せボルト11の頭部11ａを支持材９の一方の側に、ネジ部11ｂを他方の側にそれぞれ突出させ、頭部11ａにはアングル材12の下部の垂直部分を溶接などにより固定しておく。そして、アングル材12の垂直部分と支持材９との間に膜パネル２，２の引き寄せスペースを確保するためのスペーサ13を適宜数、着脱自在に介装する。
【００２０】
引き寄せボルト11のネジ部11ｂには調整用のナット14を挿着する。このようにしてアングル材12の水平部分が支持材９から外方に突出する状態で、垂直部分が支持材９の一方の側に該支持材９と間隔をおいて立ち上がる。かかるアングル材12の水平部分の上部にボルト15とナット16とで膜パネル２，２の止め付け金物17を固定する。止め付け金物17は、２枚の略薄板状体17ａ，17ｂを上下に組み合わせたものである。
【００２１】
図中18はかかる止め付け金物17の上方を覆う例えば材質としては弾性を有するものとしてクロロプレンゴムを使用した止水カバーを示す。
【００２２】
該止水カバー18は支持材９の上部に長さ方向にそって固定した断面略コ字形の受け部材の上部にガスケットを介して上端を取り付けるもので、ガスケットの箇所を頂部としその両側に下方に向けて傾斜させて山型に取り付け、膜パネル２のたるみ調整機構として頂部近傍に略Ｕ字形の溝条18ａを形成した。
【００２３】
この止水カバー18の下方部分を止め付け金物17の２枚の略薄板状体17ａ，17ｂの間に挟み込み、該止水カバー18のさらに下部を下方に延長して、この延長部分を水平に外側に折り曲げてから垂直に上方に折り曲げて、外方に突出する結露水受け用の樋状部18ｂを形成する。かかる樋状部18ｂの形成は、工場で止水カバー18全体の型をおこして一体成型により形成する。
【００２４】
次に横材５に取り付ける定着金物８を図４について説明する。主材４と同様に例えばスチールパイプなどを使用する横材５に支持材８ａを溶接などにより立設し、この支持材８ａの上部に前記定着金物７に取り付けたものと同様の止め付け金物17をボルト15とナット16とで取り付けた。
【００２５】
膜パネル２は材質として例えば四フッ化エチレン樹脂コーティングガラス繊維布を用いるもので、幅を前記骨組１より少し小さめの略同幅、すなわち横材５の長さとほぼ同じ幅に形成し、長手方向の長さは横材５に取り付けた定着金物８，８に順次固定できるよう長尺に形成した。
【００２６】
次に、前記のように長尺に形成した膜パネル２を略梯子状の骨組１に張着する方法を図２について説明する。膜パネル２の長手方向の端部である短辺側を横材５に取り付けてある定着金物８を構成する止め付け金物17の２枚の略薄板状体17ａ，17ｂの間にサンドイッチ状に挟み込み、ボルト15とナット16とで支持材８ａに固定する。
【００２７】
この状態から膜パネル２を骨組１の上にその長さ方向に布設する。このとき、短辺側を固定した横材５の隣に位置する横材５の箇所では、膜パネル２の途中がアーチ状の支持材６により下方から上方に突き上げられ、さらに隣の次の横材５の箇所ではこれに取り付けてある定着金物８によって膜パネル２の途中が引っ張られた状態で横材５に固定される。
【００２８】
このような膜パネル２をアーチ状の支持材６による突き上げと、定着金物８による横材５への固定とを繰り返しながら同時に、膜パネル２の長手方向の長辺側については、これを主材４に取り付けてある定着金物７に固定する。かかる固定は膜パネル２を主材４の方向に引き込んで、前記定着金物８の場合と同様にして止め付け金物17の２枚の略薄板状体17ａ，17ｂの間にサンドイッチ状に挟み込み、ボルト15とナット16とでアングル材12に固定する。
【００２９】
そして、ナット14を締め付け、引き寄せボルト11を支持材９の方向に移動することでアングル材12を支持材９、すなわち主材４の方向に引き寄せて膜パネル２に張力を導入する。
【００３０】
このようにして長尺の膜パネル２を長さ方向に引っ張ると同時に短手方向にも引っ張って張力を導入し、長さ方向に山部と谷部を交互に繰り返す波形状に膜パネル２を張設して骨組膜３を構築する。この場合、長尺の膜パネル２はこれをロール状に巻回しておいたものを引き出すようにして骨組１上に張設すれば、容易に行える。かかる骨組膜３の複数ユニットを長さ方向に連続させ、また、隣接する方向にも並べて張設することで、膜屋根を構築する。
【００３１】
なお、隣接する膜パネル２の張設は、隣接位置にある主材４を共用し、該主材４に反対方向に定着金物７を取り付けることで行えば、骨組膜３単位毎の隣接の箇所で定着金物７が接触し合うこともなく、ここに隙間が生じることもない。
【００３２】
【発明の効果】
以上述べたように本発明の膜屋根の骨組膜構造および膜パネルの施工法は、膜パネルを長尺化してその周囲を略梯子状の骨組に固定するようにしたから、固定と同時に膜パネルに張力を導入するための定着金物の数を削減でき、コストダウンを図ることができるとともに作業の軽減化も図れて施工性が向上でき、さらに、隣接する骨組膜間の止水性も向上できるものである。
【図面の簡単な説明】
【図１】本発明の膜屋根の骨組膜構造の実施の形態を示す斜視図である。
【図２】本発明の膜パネルの施工法の実施の形態を示す斜視図である。
【図３】本発明の膜屋根の骨組膜構造の実施の形態を示す要部である主材に取り付ける定着金物の縦断正面図である。
【図４】本発明の膜屋根の骨組膜構造の実施の形態を示す要部である横材に取り付ける定着金物の縦断正面図である。
【図５】従来の骨組膜構造の第１例を示す斜視図である。
【図６】従来の骨組膜構造の第２例を示す斜視図である。
【図７】従来の骨組膜構造の第３例を示す斜視図である。
【符号の説明】
１…骨組                        ２…膜パネル
３…骨組膜                      ４…主材
５…横材                        ６…支持材
７…定着金物                    ８…定着金物
８ａ…支持材
９…支持材                      10…張力導入装置
11…ボルト                      11ａ…頭部
11ｂ…ネジ部                    12…アングル材
13…スペーサ                    14…ナット
15…ボルト                      16…ナット
17…止め付け金物                17ａ，17ｂ…略薄板状体
18…止水カバー                  18ａ…溝条
18ｂ…樋状部                    21…骨組
22…膜パネル                    23…骨組膜
【図１】
0003907853.tif 000002
【図２】
0003907853.tif 000003
【図３】
0003907853.tif 000004
【図４】
0003907853.tif 000005
【図５】
0003907853.tif 000006
【図６】
0003907853.tif 000007
【図７】
0003907853.tif 000008